(57)【特許請求の範囲】
【請求項１】
本体ケース（１）と、肌面を冷却するヘッド（２）、およびヘッド（２）を冷却するための熱電変換素子（４４）を含む冷却部（１２）と、冷却部（１２）に接続される放熱用のヒートシンク（３０）と、ヒートシンク（３０）に熱交換風を供給する送風ファン（３１）とを備えており、
本体ケース（１）の内部に、熱電変換素子（４４）の駆動を制御する制御回路（８７）が配置される電気部品エリア（１５）と、ヒートシンク（３０）および送風ファン（３１）が配置される通風エリア（１３）を有し、
通風エリア（１３）を形成する本体ケース（１）の壁に空気の吸込み口（６１）と排出口（６２）が開口されており、
通風エリア（１３）と電気部品エリア（１５）が、本体ケース（１）の内部に固定したカバー体（１８）で区画してあり、
通風エリア（１３）が、本体ケース（１）の壁とカバー体（１８）の壁により形成されていることを特徴とする美容器具。
【請求項２】
冷却部（１２）が、本体ケース（１）の上部に配置されており、
熱電変換素子（４４）の高温面側に、熱電変換素子（４４）の高温面側で発生する熱を放出するヒートシンク（３０）が配置されており、
ヒートシンク（３０）が、冷却部（１２）からカバー体（１８）の外面にわたって縦長に配置してある請求項１に記載の美容器具。
【請求項３】
ヒートシンク（３０）の下方に冷却風を送給する送風ファン（３１）が配置されており、
ヒートシンク（３０）は、板状のシンクベース（５４）と、シンクベース（５４）に突設される多数個のフィン（５５）とを備えており、
カバー体（１８）の外面の上部がシンクベース（５４）で覆われている請求項２に記載の美容器具。
【請求項４】
シンクベース（５４）の上下中途部に段違い部（５７）が形成してある請求項３に記載の美容器具。
【発明の詳細な説明】
【技術分野】
【０００１】
本発明は、肌を効果的に冷やす美容器具に関する。
【背景技術】
【０００２】
この種の美容器具として、美容器本体のヘッドの内面にペルチェ素子を配置しておき、ペルチェ素子で冷却された冷却板で顔肌を冷却して、肌の状態を向上する美容器具が公知である（特許文献１）。そこでは、ペルチェ素子の高温面側に熱良導体からなる放熱基台を接合し、さらに放熱基台の外面に放熱フィンを接合している。また、送風ファンで生成した冷却風で放熱フィンを冷却することによりペルチェ素子の放熱を促進して、同素子が過熱状態に陥るのを防止している。冷却風は、美容器本体のマッサージヘッドの周囲に開口した吸込み口から吸い込まれ、美容器本体の下端に開口した排出口から外部へ放出される。なお、放熱フィンは、筒体の周面に一群のフィンを放射状に突設して構成してある。
【０００３】
同様の美容器具は特許文献２にも見ることができ、そこでは、顔肌をプローブで交互に加熱し、あるいは冷却しながら美容器本体を振動させて、美容効果を向上できるようにしている。そのために、モーターと、その出力軸に固定される偏心重りとからなるバイブレータを美容器本体の内部に配置している。美容器本体の内部には、ペルチェ素子の放熱を促進する送風ファンが設けてある。
【０００４】
さらに、特許文献３の美容器具においては、ヘッドをペルチェ素子で冷却し、肌面に微弱なパルス電流を通電することにより、化粧水等をイオン導入作用によって肌に浸透できるようにしている。
【先行技術文献】
【特許文献】
【０００５】
【特許文献１】特許第３１４２８６０号公報（第２頁左欄２０〜２７行、第１図）
【特許文献２】特開２００１−１９０５８６号公報（段落番号００１５、図１）
【特許文献３】特開２００２−３４５９７６号公報（段落番号００２１、図７）
【発明の概要】
【発明が解決しようとする課題】
【０００６】
特許文献１の美容器具では、ペルチェ素子の放熱作用を促進するために、美容器本体の内部に送風ファンを配置し、美容器本体の上下に冷却風の吸込み口と排出口とを開口している。そのため、単に冷却された冷却板を顔肌に押当てて冷却する限りは問題ないが、特許文献３の美容器具のように、化粧水を併用して肌面の冷却を行うような場合に問題を生じる。詳しくは、化粧水が冷却風の吸込み口や排出口から美容器本体の内部に入り込み、美容器本体の内部に配置した回路基板や、回路基板に実装された電子部品等に付着して、回路の短絡や、誤作動を生じるおそれがある。また、この種の美容器本体の内部に配置した回路基板には、ペルチェ素子や送風ファンの駆動状態を制御する制御回路、あるいはイオン導入用のパルス電流を生成するための電流調整回路などが組み込んであるが、回路基板に実装された電子部品が熱交換後の温風に晒されて過熱状態に陥り、誤作動を生じるおそれがある。
【０００７】
本発明の目的は、化粧水等の液体がたとえ本体ケースの内部に入り込んだとしても、制御回路や、制御回路の基板に実装された電子部品等に化粧水等の液体が付着するのを防止でき、さらに、電子部品が過熱状態に陥るのを防止して、安全性と信頼性を向上できる美容器具を提供することにある。
本発明の目的は、熱電変換素子から放出される熱をより効果的に排出して、美容器具が過熱状態に陥るのを解消でき、美容器具が適正な使用時間を越えて使用されるような場合であっても、ユーザーの安全性を確保し保護できる美容器具を提供することにある。
【課題を解決するための手段】
【０００８】
本発明に係る美容器具は、図１に示すように、本体ケース１と、肌面を冷却するヘッド２、およびヘッド２を冷却するための熱電変換素子４４を含む冷却部１２と、冷却部１２に接続される放熱用のヒートシンク３０と、ヒートシンク３０に熱交換風を供給する送風ファン３１とを備えている。本体ケース１の内部に、熱電変換素子４４の駆動を制御する制御回路８７が配置される電気部品エリア１５と、ヒートシンク３０および送風ファン３１が配置される通風エリア１３を有する。通風エリア１３を形成する本体ケース１の壁には空気の吸込み口６１と排出口６２を開口する。通風エリア１３と電気部品エリア１５は、本体ケース１の内部に固定したカバー体１８で区画する。通風エリア１３が、本体ケース１の壁とカバー体１８の壁により形成されている。
【０００９】
冷却部１２は、本体ケース１の上部に配置する。熱電変換素子４４の高温面側に、熱電変換素子４４の高温面側で発生する熱を放出するヒートシンク３０を配置する。ヒートシンク３０は、冷却部１２からカバー体１８の外面にわたって縦長に配置する。
【００１０】
ヒートシンク３０の下方に冷却風を送給する送風ファン３１を配置する。ヒートシンク３０は、板状のシンクベース５４と、シンクベース５４に突設される多数個のフィン５５とを備えている。カバー体１８の外面の上部をシンクベース５４で覆う。
【００１１】
シンクベース５４の上下中途部に段違い部５７を形成する。
【００１２】
シンクベース５４と、同ベース５４に対向する本体ケース１の周壁とで挟まれる熱交換通路６０を、その通路断面積がヒートシンク３０の上部から下部へ向かって小さくなるように形成する。
【００１３】
シンクベース５４と、同ベース５４に対向するカバー体１８との間に、熱交換通路６０の前後隙間より小さな通風隙間６３を設ける。
【００１４】
冷却部１２と電気部品エリア１５との間の本体ケース１の内部にバイブレータ３３を配置する。図６に示すように、バイブレータ３３は、本体ケース１に締結固定したカバー体１８に設けた押圧壁２２で固定する。
【００１５】
送風ファン３１より下側の本体ケース１の周壁に排出口６２を開口する。送風ファン３１から送給される熱交換風を排出口６２へ向かって変向案内する変向体３２を、排出口６２と対向する本体ケース１の内面に固定する（図７参照）。
【００１６】
変向体３２に隣接して、給電リード７７を含む給電用のソケット７５を配置する。ソケット７５の通風エリア１３側の周面を変向体３２で覆う。
【００１７】
給電リード７７は、カバー体１８に開口したリード開口７８を介して電気部品エリア１５の内部に導入する。変向体３２の一部を、給電リード７７とリード開口７８との間の隙間を塞ぐパッキン７９で受け止める。
【００１８】
イオン導入またはイオン導出用のパルス電流を発生する制御回路８８を電気部品エリア１５に配置する。ヘッド２の接触板３９は、イオン導入またはイオン導出用の第１電極９を兼ねている。グリップを兼ねる本体ケース１の外面に、イオン導入またはイオン導出用の第２電極１０を配置する。
【発明の効果】
【００１９】
本発明においては、本体ケース１の内部を通風エリア１３と、電気部品エリア１５とに区分し、通風エリア１３の内部に送風ファン３１と放熱用のヒートシンク３０を配置した。また、カバー体１８で区画した電気部品エリア１５の内部に、冷却部１２の熱電変換素子４４の駆動を制御する制御回路８７を配置した。このように、電気部品エリア１５に制御回路８７を配置すると、肌冷却を行う際に化粧水等の液体が本体ケース１の内部に入り込んだとしても、制御回路８７の基板に液体が付着するのを防止できる。また、熱交換後の温風や、ヒートシンク３０から放出される輻射熱によって、制御回路８７が加熱されるのを防止して、その電子部品等が過熱状態に陥るのを防止できる。したがって、化粧水等の液体の付着による短絡や誤作動を生じる余地がなく、さらに電子部品の過熱に伴う故障や火傷を生じる余地のない、安全性と信頼性に優れた美容器具を提供できる。
【００２０】
ヒートシンク３０を、本体ケース１の上部に配置した冷却部１２から、カバー体１８の外面にわたって縦長に配置すると、冷却風とヒートシンク３０との接触機会を多くして、熱電変換素子４４から放出される熱を、本体ケース１の外へ効果的に排出できる。また、カバー体１８の外面の一部をヒートシンク３０で覆うので、冷却風とともに通風エリア１３の内部に入り込んだ化粧水等の液体をヒートシンク３０で遮って、液体がカバー体１８の外面に付着するのを極力避けることができる。
【００２１】
板状のシンクベース５４と、シンクベース５４に突設される多数個のフィン５５とでヒートシンク３０を構成し、カバー体１８の外面の上部をシンクベース５４で覆うと、通風エリア１３の内部に入り込んだ化粧水等の液体を、板状のシンクベース５４でさらに効果的に遮ることができる。したがって、液体がカバー体１８に付着するのをさらに確実に防止して、回路基板１４や電子部品等の故障を防止できる。
【００２２】
シンクベース５４の上下中途部に段違い部５７を設けると、ヒートシンク３０のフィン５５の間に入り込んだ化粧水等の液体を段違い部５７で受止めて、一時的に段違い部５７に滞留することができる。したがって、フィン５５の間に入り込んだ液体が、冷却風とともにヒートシンク３０を素通りして、通風エリア１３の下流側に配置した送風ファン３１に付着するのを抑止できる。また、段違い部５７に滞留した液体の一部は、シンクベース５４に沿って流下する間に、シンクベース５４の熱で加熱して蒸発することができる。
【００２３】
シンクベース５４と本体ケース１の周壁との間に設けた熱交換通路６０を、その通路断面積がヒートシンク３０の上部から下部へ向かって小さくなるように形成すると、ヒートシンク３０の下端側における冷却風の流速を高めることができる。したがって、フィン５５の間を通過する冷却風の通過速度を大きくして、フィン５５と冷却空気との接触機会を増加でき、ヒートシンク３０の熱交換効率を高めることができる。これにより、熱電変換素子４４から放出される熱をより効果的に排出でき、たとえば美容器具が適正な使用時間を越えて使用されるような場合であっても、美容器具が過熱状態に陥るのを解消して、ユーザーの安全性を確保し保護できる。
【００２４】
シンクベース５４とカバー体１８との間に、熱交換通路６０の前後隙間より小さな通風隙間６３を設けると、シンクベース５４の熱がカバー体１８へ伝導するのを、通風隙間６３を流れる空気層で遮断できる。同様にして、シンクベース５４の輻射熱がカバー体１８へ到達するのを、通風隙間６３を流れる空気層で遮断でき、電気部品エリア１５内の電子部品をヒートシンク３０の熱から保護することができる。また、通風隙間６３の隙間寸法を熱交換通路６０の前後隙間より小さくするので、通風隙間６３を通過する空気の量を制限することができる。したがって、送風ファン３１に吸い込まれる冷却風の殆どを熱交換通路６０に沿って流動させて、冷却風とヒートシンク３０との間の熱交換を効果的に行ないながら、ヒートシンク３０からカバー体１８へ向かう熱の移動を防止できる。
【００２５】
バイブレータ３３を本体ケース１に締結固定したカバー体１８の押圧壁２２で固定すると、バイブレータ３３を固定するためのビスや固定構造を省略して、その分だけ構造の簡素化を実現できる。また、カバー体１８に設けた押圧壁２２でバイブレータ３３の外面を覆い隠すので、通風エリア１３に入り込んだ化粧水等の液体を押圧壁２２で遮って、バイブレータ３３に付着するのを防止できる。
【００２６】
送風ファン３１の下方に変向体３２を配置し、送風ファン３１から送給される熱交換風を変向体３２で排出口６２へ向かって変向案内すると、熱交換風を本体ケース１の外へ効果的に排出することができる。これにより、通風エリア１３に熱交換後の高温の空気が籠るのを解消できるので、ヒートシンク３０における放熱作用を促進して熱交換効率をさらに向上できる。
【００２７】
変向体３２に隣接して給電用のソケット７５を配置し、その通風エリア１３側の周面を変向体３２で覆うと、ソケット７５の近傍にまで到達した化粧水等の液体が、ソケット７５や給電リード７７等に付着するのを変向体３２で阻止できる。したがって、ソケット７５の周辺における液体の付着に伴う故障や事故を未然に防止できる。
【００２８】
ソケット７５から導出した給電リード７７と、カバー体１８に開口したリード開口７８との間をパッキン７９でシールし、変向体３２の一部をパッキン７９で受け止めるようにすると、変向体３２の動きをパッキン７９で緩衝し制振できる。したがって、変向体３２が送風ファン３１やバイブレータ３３の振動を受けて振動するのを抑制できる。また、変向体３２がカバー体１８に接当して、接当騒音が発生するのを解消できるので、美容器具を使用する時の運転騒音を低下して静粛性を向上できる。
【００２９】
ヘッド２の接触板３９を利用してイオン導入またはイオン導出用の第１電極９とし、本体ケース１の外面にイオン導入またはイオン導出用の第２電極１０を配置した美容器具によれば、イオン導入作用によって化粧水を肌に効果的に浸透させ、またはイオン導出作用によって肌の微細な汚れを効果的に落とすことができるなど、さらに広範な美容効果を発揮できる。
【図面の簡単な説明】
【００３０】
【図１】本発明に係る美容器具の縦断側面図である。
【図２】本発明に係る美容器具の正面図である。
【図３】本発明に係る美容器具の側面図である。
【図４】本発明に係る美容器具の背面図である。
【図５】本発明に係る美容器具の分解断面図である。
【図６】ヘッドおよび冷却部の構造を示す縦断側面図である。
【図７】送風ファンとその周辺構造を示す縦断側面図である。
【図８】図１におけるＡ−Ａ線断面図である。
【図９】図１におけるＢ−Ｂ線断面図である。
【発明を実施するための形態】
【００３１】
（実施例）  図１ないし図９は本発明に係る美容器具の実施例を示す。本発明における前後・左右・上下とは、図２および図３に示す交差矢印と、矢印の近傍に表示した前後・左右・上下の表記に従う。図２および図３において美容器具は、グリップを兼ねる本体ケース１を基本構造体にして、その前面上部にヘッド２が突設してある。本体ケース１の前面には、電源投入用の電源ボタン３と、運転モードを切り換えるモードボタン４と、イオン導入時の電位を切り換える強弱ボタン５と、運転モードの違いに応じて点灯される４個のモード表示灯６と、電位の違いに応じて点灯される２個の強弱表示灯７などが設けてある。
【００３２】
本体ケース１の左右両側には、上下端が半楕円状に丸められた縦長の第２電極１０が配置してある。第２電極１０は、人体に微弱なパルス電流を供給するイオン導入またはイオン導出用の電極であって、第１電極９を兼ねる接触板３９と協同してパルス電流を人体に供給する。第２電極１０は、本体ケース１に対して固定されており、後述する圧縮コイル形のばね９４を介して、イオン導入またはイオン導出用の制御回路８８の出力リード９０と電気的に接続されている（図９参照）。
【００３３】
本体ケース１は、前後に分割された前ケース１ａと後ケース１ｂをビス８（図１参照）で蓋合わせ状に接合して中空ケース状に構成してあり、その内部には、冷却部１２の一部が収容される通風エリア１３と、冷却部１２のペルチェ素子（熱電変換素子）４４の駆動を制御する制御回路８７用の電子部品や、それを搭載する回路基板１４が配置される電気部品エリア１５とが区画してある。電気部品エリア１５には、後述するイオン導入またはイオン導出用の制御回路（肌通電用制御回路）８８も配置される。具体的には、前ケース１ａの内面に周回状に突設される区画リブ１７と、区画リブ１７の開口面を塞ぐカバー体１８とで電気部品エリア１５を区画し、電気部品エリア１５以外の本体ケース１の内部空間の主に後半部側を通風エリア１３としている。つまり、本体ケース１の壁とカバー体１８の壁により、通風エリア１３と電気部品エリア１５とが区分してある。
【００３４】
カバー体１８は、トレー状のプラスチック成形品からなり、区画リブ１７に接合される周囲壁１９と、周囲壁１９の後面を塞ぐ後壁２０を一体に備えている。周囲壁１９の上端には、締結座２１が張り出してあり、その左右中央部分にバイブレータ３３を固定する押圧壁２２が一体に形成してある（図９参照）。図５に示すように、後壁２０の下部には、ファンケース６５の周面の一部を収容する長円状の凹部２３が凹み形成してあり、その左右両側にファンケース６５を固定するためのねじボス２４が突設してある。カバー体１８の区画リブ１７との接合面はシールリング２５でシールしてある。押圧壁２２は長方形状に張り出してあり、バイブレータ３３用のモーター８２の周面全体を覆う状態で、同モーター８２を押圧固定する（図９参照）。
【００３５】
通風エリア１３の上部には冷却部１２が設けてあり、さらに、冷却部１２の後端に接続した放熱用のヒートシンク３０と、送風ファン３１と、変向体３２とが、通風エリア１３内に上下に間隔をあけた状態で記載順に配置してある。これにより本体ケース１の上部構造が占める空間量を小さくして、本体ケース１のグリップ部分をスリム化できる。また、冷却部１２と電気部品エリア１５との間の前ケース１ａの内部に、美容器具の全体を振動させるためのバイブレータ３３が配置してある。
【００３６】
冷却部１２は、円筒状のヘッドケース３６と、ヘッド２と、ヘッド２を冷却する冷却ユニット３７、および冷却ユニット３７用の放熱構造などで構成する。ヘッドケース３６は、前ケース１ａの内面にビス３５で固定されて前ケース１ａより前方へ突出しており、その突端にヘッド２が固定してある。ヘッド２は、チタン板を皿状に成形した接触板３９と、接触板３９の周縁部分を固定保持する保持リング４０とからなる。図６に示すように、保持リング４０は、ヘッドケース３６の突端外面に外嵌装着されてビス４１で固定してある。ヘッドケース３６と前ケース１ａとの間、および接触板３９とヘッドケース３６との間は、それぞれシールリング２６・２７でシールしてある。
【００３７】
冷却ユニット３７は、ペルチェ素子（熱電変換素子）４４と、同素子４４を間に挟んで低温面側と高温面側に密着される冷熱ブロック４５および温熱ブロック４６と、これら三者４４・４５・４６を支持する冷却部ホルダー４７などで構成する。冷熱ブロック４５および温熱ブロック４６とペルチェ素子４４とは伝熱シート４８を介して密着してある。伝熱シート４８は、アルミニウムシートの表裏のそれぞれにシリコンをコーティングして構成してある。ペルチェ素子（熱電変換素子）４４と、冷熱ブロック４５と、温熱ブロック４６とは、冷却部ホルダー４７に挿通したビス４９で、両ブロック４５・４６の間に配置した熱絶縁体５０と共に締結されてユニット部品化してある（図５参照）。
【００３８】
冷却部ホルダー４７を、図９に示すように前ケース１ａに４個のビス５１で固定することにより、冷熱ブロック４５の前端面が接触板３９の内面に密着する状態で、冷却ユニット３７が前ケース１ａおよびヘッドケース３６に固定してある。この状態の温熱ブロック４６の後端は、前後ケース１ａ・１ｂの接合面より後ケース１ｂ側へ入り込んでいる（図６参照）。
【００３９】
冷熱ブロック４５および温熱ブロック４６は、それぞれアルミニウム製のダイキャスト成形品からなる。ペルチェ素子（熱電変換素子）４４で発生した熱の放出をより効果的に行うために、温熱ブロック４６の体積を冷熱ブロック４５の体積に比べて十分に大きくして、単位時間当たりの熱伝導量（熱容量）を大きくしている。これにより、ペルチェ素子４４の高温面側で発生する熱を、温熱ブロック４６の後端に固定したヒートシンク３０へ効果的に伝導して放熱作用を促進できる。
【００４０】
図５および図６に示すように、ヒートシンク３０は、板状のシンクベース５４と、シンクベース５４の後面に突設される多数個のフィン５５とを一体に備えたアルミニウム製のダイキャスト成形品からなる。ヒートシンク３０は、シンクベース５４の上部を温熱ブロック４６に相対移動不能に係合した接触状態で、温熱ブロック４６にねじ込まれるビス５６で分離不能に締結してある。シンクベース５４の上下中途部には斜め下向きに傾斜する段違い部５７が形成してあり、したがって、段違い部５７より下側の板状部５４ｂは、段違い部５７より上側の板状部５４ａよりも後ケース１ｂに接近している。冷却部１２とヒートシンク３０との接続は、温熱ブロック４６に対してシンクベース５４を直接固定する上記構造に限らず、温熱ブロック４６とシンクベース５４の向き合う面が接触した状態のままで、ヒートシンク３０を前ケース１ａに締結する固定構造とすることができる。
【００４１】
フィン５５と冷却風との接触機会を増加して熱交換効率を高めるために、ヒートシンク３０は通風エリア１３に沿って縦長に形成してある。さらに、シンクベース５４と、同ベース５４に対向する後ケース１ｂの周壁とで挟まれる熱交換通路６０の通路断面積を、ヒートシンク３０の側から送風ファン３１の側へ向かって小さくなるようにしている。より具体的には、シンクベース５４と対向する後ケース１ｂの周壁を、シンクベース５４に接近する向きに凹ませて、熱交換通路６０の通路断面積を、シンクベース５４の上端側から下端側へ向かって下すぼまり状に形成している。因みに、シンクベース５４の下端側と後ケース１ｂの周壁との対向間隔を、シンクベース５４の上端側と後ケース１ｂの周壁との対向間隔より小さくして、熱交換通路６０の通路断面積を、送風ファン３１の側へ向かって下すぼまり状に形成することができる。
【００４２】
上記のように、ヒートシンク３０の上下長を大きくすることにより、フィン５５による放熱量を増強できる。さらに、熱交換通路６０を下すぼまり状に形成することにより、フィン５５の間を通過する冷却風の通過速度を大きくして、フィン５５と冷却空気との接触機会を増加でき、全体としてヒートシンク３０の熱交換効率を高めることができる。ヒートシンク３０を、冷却部１２からカバー体１８の外面にわたって縦長に配置するので、下側の板状部５４ｂの過半下部はカバー体１８の後面上部の外方を覆っている（図１、図６参照）。そのため、吸込み口６１から浸入した化粧水をシンクベース５４で遮蔽して、化粧水がカバー体１８に付着するのをよく防止できる。また、シンクベース５４の上下中途部に段違い部５７を設けておくことにより、上側の板状部５４ａに沿って流下する化粧水を段違い部５７で受け止めて、そこに滞留させることができる。
【００４３】
シンクベース５４の上側の板状部５４ａと対向する後ケース１ｂの周壁には、冷却空気用の吸込み口６１の一群が開口してある。また、後ケース１ｂの下部側の周壁には、熱交換後の温風を排出する一群の排出口６２が開口してある。このように、本体ケース１の下部側から温風を排出する構造を採用すると、冷却対象の肌から遠ざかった位置で温風を排出できるので、ユーザーに不快感を与えることがない。本実施例では吸込み口６１、排出口６２が側方（後方）に向けて開口しているが、それに限らず吸込み口６１が上方に向けて開口し、排出口６２が下方に向けて開口するものであってもよい。
【００４４】
先に説明した下側の板状部５４ｂとカバー体１８との間には、熱交換通路６０の前後隙間より小さな通風隙間６３が確保してあり、したがって通風エリア１３内の冷却風の一部は通風隙間６３を経由して送風ファン３１に吸い込まれる。このように、通風隙間６３を確保しておくことにより、シンクベース５４の熱がカバー体１８へ伝導するのを防止できる。また、通風隙間６３の隙間寸法が小さいので、送風ファン３１に吸い込まれる冷却風の殆どを熱交換通路６０に沿って流動させて、熱交換を効果的に行なうことができる。
【００４５】
送風ファン３１は、モーターホルダーを兼ねるファンケース６５と、ファンケース６５の上半部に固定されるモーター６６と、その出力軸に固定される軸流型のファン６７とで構成してあり、通風エリア１３内の空気を変向体３２へ向かって下向きに送給する。ファンケース６５は、先に説明したねじボス２４にビス７１で固定してある（図９参照）。なお、ファンケース６５の周囲は、カバー体１８と後ケース１ｂから対向状に張り出した区分壁７２で上下に区分してあり（図７参照）、したがって、送風ファン３１から送出された熱交換後の温風が熱交換通路６０側へ逆流することはない。
【００４６】
図５に示すように、変向体３２は、前面および下面が開口するカバー状の構造体からなり、後面側から見た外形形状は逆凸字状に形成してある（図９参照）。図７に示すように排出口６２と対向する変向体３２の上半側の幅広の部分には、変向壁６８が下り傾斜状に形成してある。また、変向壁６８の上端の傾斜部内面には、接当リブ６９が設けてある。先に述べた凹部２３の下端には、部分球面状の変向面７０が形成してあり、この変向面７０によって送風ファン３１から送給される熱交換風を、変向壁６８と共同して排出口６２へ向かって変向案内できる。上記実施例では、本体ケース１の上部に吸込み口６１を、本体ケース１の下部に排出口６２を形成して、通風エリア１３内の熱交換（冷却）風を下向きに送給したが、本体ケース１の上部に排出口６２を、本体ケース１の下部に吸込み口６１を形成して、通風エリア１３内の熱交換（冷却）風を上向きに送給してもよい。当然その場合の送風ファン３１の送風方向は逆に設定する。
【００４７】
前後ケース１ａ・１ｂの下端内面には給電用のソケット７５が配置してあり、その通風エリア１３側の周面が変向体３２で覆ってある。変向体３２およびソケット７５は、前後ケース１ａ・１ｂを締結する下側２個のビス８を利用して固定されて、本体ケース１と一体化してある。図７に示すように、給電用のソケット７５の内部には、電源アダプターから導出された給電プラグ７４を接続するための２個の接続ピン７６が設けてあり、接続ピン７６に接続した給電リード７７がソケット７５の上端から導出してある。給電リード７７は、カバー体１８に開口したリード開口７８を介して電気部品エリア１５の内部に導入されて回路基板１４に接続してある。給電リード７７とリード開口７８との間の隙間は、リード開口７８に装着したゴム製のパッキン７９で封止してある。
【００４８】
先に説明したように変向体３２は、本体ケース１に固定してある。そのため、送風ファン３１の振動や、バイブレータ３３の振動を受けて振動し、その上開口縁がカバー体１８に接当して、接当騒音を生じるおそれがある。こうした騒音の発生を防ぐために、変向体３２の接当リブ６９の突端をパッキン７９の後端面で受け止めて、変向体３２がカバー体１８に接当するのを防止し、変向体３２の振動をパッキン７９で吸収できるようにしている（図７の拡大図参照）。
【００４９】
前ケース１ａの内部に配置したバイブレータ３３は、モーター８２と、その出力軸に固定される偏心重り８３とで構成する。前ケース１ａの内部にはゴム製の装着座８４が固定してあり、この装着座８４に嵌め込んだモーター８２をカバー体１８に設けた押圧壁２２で分離不能に固定保持している（図６参照）。
【００５０】
図３に示すように、電気部品エリア１５には次のような部材が収容してある。ペルチェ素子（熱電変換素子）４４、および送風ファン３１のモーター６６と、バイブレータ３３のモーター８２への通電状態を制御する制御回路（機器通電用制御回路）８７用の電子部品と、イオン導入またはイオン導出用のパルス電流を生成し、その電位を制御する制御回路（肌通電用制御回路）８８用の電子部品とが、回路基板１４にそれぞれ搭載される。制御回路８８の一方の出力リード８９は、図８に示すようにヘッドケース３６の内部に設けた弾性変形可能な接触部９３を一体に備えた接続端子９１に接続されており、他方の出力リード９０は、図９に示すようにファンケース６５の左右に固定した接続端子９２に接続してある。前者の接続端子９１は金属板材からなり、ヘッドケース３６を前ケース１ａに締結するビス３５を利用してその自由端側、つまり接触部９３側が弾性変形可能に固定してある。
【００５１】
ヘッド２をヘッドケース３６に組み付けた状態では、接続端子９１の腕部の先端側に設けた接触部９３が、第１電極９を兼ねる接触板３９の内面に押圧された状態で密着している。このように、弾性変形可能な接触部９３を介して接続端子９１と第１電極９を導通すると、接続端子９１の固定部分と第１電極９との間に寸法誤差が生じていたとしても、寸法誤差を接続端子９１の腕部で吸収して、電気的な接続状態を良好に維持できる。とくに、美容器具の使用時には、ヘッド２が冷却され、あるいは常温に戻るため、温度変化に伴う各部品間の距離の変化を生じやすいが、こうした場合であっても電気的な接続状態を良好に維持できる。
【００５２】
また、第２電極１０用の接続端子９２は、ファンケース６５を固定するビス７１を利用して固定してあり、第２電極１０と接続端子９２とは、第２電極１０を押圧付勢するばね９４を利用して導通してある。接続端子９２と第２電極１０とをコイル状のばね９４を介して導通すると、接続端子９２と第２電極１０との間に寸法誤差が生じたとしても、寸法誤差をばね９４で吸収できるので、良好な電気的接続状態を維持できる。
【００５３】
接続端子９１は、金属線材の基端部分をＬ字状に折り曲げて固定部とし、他方端を、コイル状に形成してばね性を備えた接触部９３とすることができる。その場合には、固定部をビス３５で固定し、自由端側の接触部９３を第１電極９に押圧した状態で組み付け、接続端子９１と第１電極９とを導通させる。この構造の場合にも、接続端子９１の固定部分と第１電極９との間に寸法誤差が生じたとしても弾性接触によって良好な電気的接続状態を維持できる。
【００５４】
図９において、符号１０１はペルチェ素子（熱電変換素子）４４用の給電リード、符号１０２は送風ファン３１用の給電リード、符号１０３はバイブレータ３３用の給電リードである。これらの各給電リード１０１・１０２・１０３のリード開口や、先に説明した出力リード８９・９０のリード開口も、給電リード７７と同様にしてパッキンでシールしてある。
【００５５】
以上のように構成した美容器具は、電源ボタン３がオン操作されると、制御回路８７から駆動電流が供給されて、バイブレータ３３のモーター８２が起動され、所定期間（例えば１秒間）後、下記の第１モードの状態となり器具の動作が始まる。電源ボタン３がオン操作されたときバイブレータ３３が駆動することにより、手の感触で器具が起動していることを確認できるので、ユーザーの安心感につながる。
【００５６】
モードボタン４は、オン操作するごとに第１モードから第４モードまで切り換えることができる。第１モードでは、第１電極９をプラス極性、第２電極１０をマイナス極性とした電圧が印加される。これにより化粧水が含浸された化粧用の綿マット９７（図３参照）を接触板３９の外面にあてがい、その周囲をヘッド２に圧嵌装着されるキャップ９８で固定した状態で、綿マット９７を顔肌にあてがえばイオン導出を行うことができ、顔肌などの微細な汚れを落とすことができる。第２モードでは、第１電極９と第２電極１０に極性を交互に切り替えた電圧が印加されるとともに、バイブレータ３３が駆動される。これによりヘッド２を顔肌にあてがえば肌をほぐすことができる。第３モードでは、第１電極９をマイナス極性、第２電極１０をプラス極性とした電圧が印加される。これにより化粧水が含浸された化粧用の綿マット９７をヘッド２に固定した状態で、綿マット９７を顔肌にあてがえばイオン導入を行うことができ、保湿成分を肌に浸透させて美容効果を高めることができる。第４モードでは、ペルチェ素子（熱電変換素子）４４が駆動される。これにより、ヘッド２を顔肌にあてがえば肌面を冷却することができる。
【００５７】
各モードにおいて、強弱ボタン５をオン操作することにより、第１、第２の電極９・１０に印加される電位を強弱に切り換えることができる。第１、第２、第３モードのときは、肌面への通電を行うため、本体ケース１を片手で握り、その手を第２電極１０と接触させたうえで、ヘッド２を顔肌などの肌面に接触させる必要がある。電源ボタン３をもう一度オン操作するか、電源ボタン３のオン操作から所定期間（例えば５分間）が経過すると電源がオフされる。その他、ペルチェ素子（熱電変換素子）４４の駆動、バイブレータ３３の駆動、第１電極９と第２電極１０への電圧印加を同時に行うモードを設けてもよい。
【００５８】
上記の実施例では、イオン導入機能を備えた美容器具について説明したが、イオン導入機能は省略することができる。その場合には、パルス電流を供給する第２電極１０を省略するとよい。本発明に係る美容器具は、顔肌の冷却・通電以外に、首周りの肌や胸周りの肌の冷却・通電を行う場合にも使用される。
【００５９】
熱交換通路６０は、シンクベース５４と後ケース１ｂの前後間隔を下すぼまり状とする以外に、左右方向の間隔を下すぼまり状にし、あるいは前後間隔と左右間隔の両者を下すぼまり状に構成することができる。ヒートシンク３０は、シンクベース５４の前後面のそれぞれにフィン５５を設ける形態を採ることができる。
【符号の説明】
【００６０】
１  本体ケース
２  ヘッド
１２  冷却部
１３  通風エリア
１５  電気部品エリア
１７  区画リブ
１８  カバー体
３０  ヒートシンク
３１  送風ファン
３２  変向体
３３  バイブレータ
３９  接触板
４４  ペルチェ素子
５４  シンクベース
５５  フィン
６０  熱交換通路
６１  吸込み口
６２  排出口
６８  変向壁
【図１】
0005635855.tif 000002
【図２】
0005635855.tif 000003
【図３】
0005635855.tif 000004
【図４】
0005635855.tif 000005
【図５】
0005635855.tif 000006
【図６】
0005635855.tif 000007
【図７】
0005635855.tif 000008
【図８】
0005635855.tif 000009
【図９】
0005635855.tif 000010